(57)【要約】      （修正有）【課題】装着型水素システムを提供する。【解決手段】装着型水素システム２は、装着型装置２１及び電解装置２２を備える。電解装置２２は装着型装置２１に内設され、且つ液体受容空間２２１と、給水口２２２と、排気口２２３と、防水空間２２４と、制御回路２２５と、少なくとも２枚の電極シートとを更に含む。給水口２２２及び排気口２２３は液体受容空間２２１にそれぞれ連結される。制御回路２２５は防水空間２２４に設置される。少なくとも２枚の電極シートは制御回路２２５に電気的に接続されると共に液体受容空間２２１に設置される。【選択図】図２Ｂ
0003206613.tif 000002
【実用新案登録請求の範囲】
【請求項１】
装着型装置と、
前記装着型装置に内設される電解装置とを備え、
前記電解装置は、
液体受容空間と、
前記液体受容空間に連結される給水口と、
前記液体受容空間に連結される排気口と、
防水空間と、
前記防水空間に設置される制御回路と、
前記制御回路に電気的に接続され、且つ前記液体受容空間に設置される少なくとも２枚の電極シートと、を更に含むことを特徴とする、
装着型水素システム。
【請求項２】
前記装着型装置はアイマスク式、フェイスマスク式或いはヘルメット式装置を含むことを特徴とする、請求項１に記載の装着型水素システム。
【請求項３】
前記装着型装置に内設される少なくとも１つのヒーターを更に備えることを特徴とする、請求項１に記載の装着型水素システム。
【請求項４】
前記装着型装置に内設される少なくとも１つの振動器を更に備えることを特徴とする、請求項１に記載の装着型水素システム。
【請求項５】
前記制御回路に電気的に接続される警報器を更に備えることを特徴とする、請求項１に記載の装着型水素システム。
【請求項６】
前記液体受容空間に連結される少なくとも１つの霧化器を更に備えることを特徴とする、請求項１に記載の装着型水素システム。
【請求項７】
前記液体受容空間に連結される少なくとも１つのポンプを更に備えることを特徴とする、請求項１に記載の装着型水素システム。
【請求項８】
前記制御回路はワイヤレス電力供給ユニット及び／或いは既定の電源を備えることを特徴とする、請求項１に記載の装着型水素システム。
【請求項９】
前記ヘルメット式装置は安全帽に内設されることを特徴とする、請求項２に記載の装着型水素システム。
【請求項１０】
吸気口及び排気口を含む装着型装置と、
管路により前記装着型装置の前記吸気口に連結される電解装置と、を備えることを特徴とする、
装着型水素システム。
【考案の詳細な説明】
【技術分野】
【０００１】
本考案は、装着型水素システムに関する。
【背景技術】
【０００２】
現代人は生活が忙しく、情緒不安定になりがちであるため、多くの人が積極的にリラックス方法を探し求め、心身の向上を図っている。使用者が水素機を利用して水分子を電解させた後に水素及び酸素を発生させて、吸入、飲用、或いは吸収することが、近年広く行われている方法である。
【０００３】
図１は従来の水素器の使用を示す概略図である。図１は水素機１の本体１０及び電極ボックス１２を示し、且つ電極ボックス１２に２枚の電極シ−ト（図示せず）が設置され、本体１０の電源の陽極及び陰極に電気的に接続される。
水素機１の作動原理は陽極性及び陰極性を帯びる電極シートが水中に置かれ、水が電解されて陽電性を帯びる水素イオン及び陰電性を帯びる水酸化物イオンが発生する。
【考案の概要】
【考案が解決しようとする課題】
【０００４】
しかしながら、人体による吸収において、顔は使用者が重視する部位であるが、現在の水素機は、電解された水素及び酸素が空気中に解放されるため、より好ましい吸収効果が達成できなかった。
【０００５】
このほか、現在の市場に存在するアイマスクやフェイスマスクの設計では、保湿、温熱、血液循環の促進、或いは筋肉のマッサージ等が主な機能となっているが、現在のところ同時に水素発生効果を有し、且つ上述の機能が結合される水素機は存在しない。
そこで、本考案者は上記の欠点が改善可能と考え、鋭意検討を重ねた結果、合理的かつ効果的に課題を改善する本考案の提案に到った。
【０００６】
本考案は、このような従来の問題に鑑みてなされたものである。上記課題解決のため、本考案は、装着型水素システムを提供することを主目的とする。
【課題を解決するための手段】
【０００７】
上述した課題を解決し、上記目的を達成するための本考案に係る装着型水素システムは、装着型装置と、前記装着型装置に内設される電解装置とを備え、ここでは、前記電解装置は、液体受容空間と、前記液体受容空間に連結される給水口と、前記液体受容空間に連結される排気口と、防水空間と、前記防水空間に設置される制御回路と、前記制御回路に電気的に接続され、且つ前記液体受容空間に設置される少なくとも２枚の電極シートとを更に含むことを特徴とする。
【０００８】
本考案の他の装着型水素システムは、装着型装置及び電解装置を備える。装着型装置は吸気口を含む。電解装置は管路により装着型装置の吸気口に連結される。
【考案の効果】
【０００９】
上述したように、本考案の装着型水素システムは、本来のアイマスク、フェイスマスク或いはヘルメットの機能が結合され、使用者がアイマスク、フェイスマスク或いはヘルメットを使用すると、水の電解により発生した水素及び酸素も同時に吸収される。このように、発生した水素及び酸素により抗酸化効果を達成させ、且つ紫外線による傷害を減らして皮膚炎が悪化するのを防ぐ。
【図面の簡単な説明】
【００１０】
【図１】従来の水素器の使用を示す概略図である。
【図２Ａ】本考案の第１実施形態による装着型水素システムを示す外観斜視図である。
【図２Ｂ】本考案の第１実施形態による装着型水素システムを示す上面図である。
【図３Ａ】本考案の他の実施形態による装着型水素システムを示す外観斜視図である。
【図３Ｂ】本考案の他の実施形態による装着型水素システムを示す上面図である。
【考案を実施するための形態】
【００１１】
以下に図面を参照して、本考案を実施するための形態について、詳細に説明する。なお、本考案は、以下に説明する実施形態に限定されるものではない。
【実施例】
【００１２】
（第１実施形態）
図２Ａは本考案の第１実施形態による装着型水素システムを示す外観斜視図であり、図２Ｂは本考案の第１実施形態による装着型水素システムを示す上面図である。
装着型水素システム２は、装着型装置２１及び電解装置２２を備える。電解装置２２は装着型装置２１に内設され、液体受容空間２２１と、給水口２２２と、排気口２２３と、防水空間２２４と、制御回路２２５と、少なくとも２枚の電極シート（図示せず）とを含む。給水口２２２及び排気口２２３は液体受容空間２２１にそれぞれ連結される。制御回路２２５は防水空間２２４に設置される。少なくとも２枚の電極シートは制御回路２２５に電気的に接続されると共に液体受容空間２２１に設置される。
【００１３】
本考案における好適な実施の形態において、装着型装置２１はアイマスク式、フェイスマスク式或いはヘルメット式装置を含む。即ち、使用者の目、顔、頭皮、頭髪、或いは他の頭の部位それぞれに対して水素及び酸素の吸収や吸入が行われる。図２Ａ及び図２Ｂはフェイスマスク式装置の外観斜視図である。
【００１４】
本考案における好適な実施の形態において、装着型水素システム２は、装着型装置２１に内設される少なくとも１つのヒーター２３を備え、その設置位置は本考案では限定されない。例えば、使用者がフェイスマスク式装着型装置２１形式の装着型水素システム２を使用する場合、使用者の目の部位に２つのヒーター２３が設置され、使用者が水素及び酸素を吸収すると、同時に目に対して温パックが施される。或いは、ヒーター２３がフェイスマスク式装着型装置２１の両頬に対する両側に設置される場合、使用者が水素及び酸素を吸収すると、同時に頬に対する温パックが施される。
【００１５】
また、本考案における好適な実施の形態において、装着型水素システム２は、装着型装置２１に内設される少なくとも１つの振動器２４を備え、その設置位置は本考案では限定されない。例えば、使用者がフェイスマスク式装着型装置２１形式の装着型水素システム２を使用する場合、使用者のこめかみの部位に振動器２４が設置され、使用者が水素及び酸素を吸収すると、同時にこめかみに対するマッサージが行われる。
【００１６】
なお、本考案における好適な実施の形態において、装着型水素システム２は、管路２５１により液体受容空間２２１に連結される少なくとも１つの霧化器２５を備える。霧化器２５は水の電解により生成された水素及び酸素が結合されて霧化された液体（例えば水、エッセンシャルオイル、香水）が噴出されて空気中に散布され、使用者が水素及び酸素の吸収効果をより明確に感じることができる。
【００１７】
さらに、本考案における好適な実施の形態において、装着型水素システム２は、管路２６１により液体受容空間２２１に連結される少なくとも１つのポンプ２６を備え、電解された水素及び酸素がガスとなって大量に噴出され、使用者がより多くの水素及び酸素を吸収できる。
【００１８】
このほかに、本考案における好適な実施の形態において、装着型水素システム２は、制御回路２２５に電気的に接続される警報器（図示せず）を備える。さらには、装着型水素システム２には独立した電源が使用されるため、漏電が発生する危険性が回避される。制御回路２２５はＬＥＤに電気的に接続されるブレーカー（図示せず）を含み、警告灯の作用を果たす。例えば、電池が使用される既定の電源の電力量が不足したり、或いは、制御回路２２５にショートが発生すると、ブレーカーにより電源の電気的接続が切断され、且つＬＥＤの警告灯が発光し、使用者に対して掲示する。ブレーカーの作動原理及び設計は、本出願者による台湾実用新案出願第ＴＷＭ５１８７０１号明細書に記載されている「多機能水素機」の切替スイッチ参照のため、再述は省く。
【００１９】
制御回路２２５は既定の電源及び／或いはワイヤレス電力供給ユニットを備える。ワイヤレス電力供給ユニット及び既定の電源は防水空間２２４に設置される。ワイヤレス電力供給ユニットはワイヤレス電力供給ユニット及びワイヤレス送電ユニットを含み、ワイヤレス方式により装着型水素システム２に電力が供給される。或いは、制御回路２２５は既定の電源方式により装着型水素システム２に電力を供給する。即ち、装着型水素システム２はワイヤレス送電ユニット方式により送電を行い、または、装着型水素システム２に内設される独立した電源により水の電解動作が行われる。
或いは、ワイヤレス電力供給ユニット及び既定の電源の両者が同時に結合され、装着型水素システム２に電力が供給される。ワイヤレス電力供給ユニット或いは既定の電源の詳しい作動原理及び設計に関しては、本出願者による台湾実用新案出願第ＴＷ１０５２００５４７号明細書に記載されている「ワイヤレスパワーで給電を行う水素生成器」参照のため、再述は省く。
【００２０】
図３Ａは本考案の他の実施形態による装着型水素システムを示す外観斜視図であり、図３Ｂは本考案の他の実施形態による装着型水素システムを示す上面図である。すなわち、図３Ａ及び図３Ｂは装着型水素システム３の、アイマスク式装着型装置３１の外観斜視図である。
アイマスク式装着型装置３１と、図２Ａ及び図２Ｂのフェイスマスク式装着型装置２１との主な差異は、装着型装置の外観デザインが異なる点であり、残りの電解装置２２、ヒーター２３、振動器２４、霧化器２５及びポンプ２６等の構造及び作動原理は上述と同じであるため、再述は省く。  
【００２１】
このほか、本考案に係る装着型水素システムはヘルメット式装着型装置（図示せず）の形式でも実施されるが、原理は同じであるため、再述は省く。但し、ヘルメット式装着型装置形式の装着型水素システムでは、使用者の頭髪（頭皮）部位が被覆されるため、ヒーターや振動器等の部材は使用者の需要に合わせて設置位置を改変させる必要がある。即ち、ヒーターや振動器等の部材は頭髪（頭皮）部位に設置され、頭髪（頭皮）に対して温熱やマッサージが施される。
また、ヘルメット式装着型装置形式の装着型水素システムは、バイクのヘルメット、作業用ヘルメット、鉄製ヘルメット等の様々な種類の安全帽に結合され、使用者が本来の安全帽の機能を使用する際に、水素或いは酸素の吸収も行える。
【００２２】
上述の実施形態では、電解装置が装着型装置内に統合され、装着型水素システムが形成される。本考案に係る他の装着型水素システムは、装着型装置及び電解装置が別々に設置される。
別々に設置される装着型水素システムは、装着型装置及び電解装置を備える。装着型装置は吸気口を含む。電解装置は少なくとも１つの管路により装着型装置の吸気口に連結され、電解により発生した水素及び酸素が少なくとも１つの管路から装着型装置に送られる。
【００２３】
換言すれば、本考案は、電解装置及び装着型装置が装着型水素システムに統合される以外、電解装置及び装着型装置が別々に設置される。別々に設置される電解装置及び装着型装置の構造及び原理は、本出願者による台湾実用新案出願第ＴＷ１０５２０３８８０号明細書に記載されている「組み立て式の水素発生装置」参照のため、再述は省く。残りの電解装置、ヒーター、振動器、霧化器及びポンプ等の構造及び作動原理は上述と同じであるため、再述は省く。
【００２４】
結論として、本考案に係る装着型水素システムは、本来のアイマスク、フェイスマスク或いはヘルメットの機能が結合され、使用者がアイマスク、フェイスマスク或いはヘルメットを使用すると、同時に水の電解で発生した水素及び酸素を吸収できる。このように、発生した水素及び酸素により抗酸化効果を達成させ、且つ紫外線による傷害を減らして皮膚炎の悪化を防ぐ。
【００２５】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２６】
１  水素機
１０  本体
１２  電極ボックス
２、３  装着型水素システム
２１、３１  装着型装置
２２  電解装置
２２１  液体受容空間
２２２  給水口
２２３  排気口
２２４  防水空間
２２５  制御回路
２３  ヒーター
２４  振動器
２５  霧化器
２５１  管路
２６  ポンプ
２６１  管路
【図１】
0003206613.tif 000003
【図２Ａ】
0003206613.tif 000004
【図２Ｂ】
0003206613.tif 000005
【図３Ａ】
0003206613.tif 000006
【図３Ｂ】
0003206613.tif 000007